(57)【要約】【課題】空気を加湿する加湿機に関するもので、加湿量を向上することを目的とする。【解決手段】加湿装置８を一定量の水が供給される水槽２１と、この水槽２１の水に頂部が浸漬する多角形の加湿フィルター部材３３と、この加湿フィルター部材３３が装着される回動自在な円形のフィルター枠３０と、このフィルター枠３０の周縁部に加湿フィルター部材の辺部に沿って外方に設けた給水部５５と、フィルター枠３０を回転させる回転装置２３とで構成にしたものであり、加湿フィルター部材３３の辺部３１の給水部５５と給水部５５との間には、加湿フィルター部材３３の頂部３２が位置するので、加湿フィルター部材３３の面積が増加し、これらの結果により、加湿量を向上することができるのである。【選択図】図３
2014066477.tif 000002
【特許請求の範囲】
【請求項１】
給気口と吹出口を有する本体ケースと、この本体ケース内に設けられた送風装置と加湿装置とを備え、前記加湿装置は、一定量の水が供給される水槽と、この水槽の水に頂部が浸漬する多角形の加湿フィルター部材と、この加湿フィルター部材が装着される回動自在な円形のフィルター枠と、このフィルター枠の周縁部に加湿フィルター部材の辺部に沿って外方に設けた給水部と、前記フィルター枠を回転させる回転装置とで構成される加湿機。
【請求項２】
前記給水部は、加湿フィルター部材のフィルター辺部に当接するように設けた請求項１に記載の加湿機。
【請求項３】
前記給水部は、前記フィルター枠の外周に沿って形成される外周壁と、この外周壁の一部を外周開口部とした請求項１に記載の加湿機。
【請求項４】
前記給水部は、加湿フィルター部材のフィルター辺部に連通する内周開口部を設けた請求項１または２に記載の加湿機。
【請求項５】
前記フィルター枠に気化フィルター側に突出するピン状突起部を設けた請求項１または２に記載の加湿機。
【請求項６】
前記多角形の加湿フィルター部材を正六角形で形成した請求項１から５のいずれかに記載の加湿機。
【請求項７】
前記多角形の加湿フィルター部材の辺部が最下部に回動した位置を水槽水位面よりも上に配置した請求項１に記載の加湿機。
【請求項８】
加湿フィルター部材の通風路に空気清浄装置を設けた請求項１から７のいずれかに記載の加湿機。
【発明の詳細な説明】
【技術分野】
【０００１】
本発明は、空気を加湿する加湿機に関するものである。
【背景技術】
【０００２】
従来、この種の加湿機は、吸気口と排気口を有する本体ケースがあり、この本体ケース内に加湿装置と送風装置とを備えたものが知られている。この加湿装置は、円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とによって形成されている。さらに、前記加湿フィルター枠の外周部には給水部を備え、この給水部の一部が前記水槽に供給された水に常時浸るように前記加湿フィルター枠が装着されている。前記回転手段によって前記加湿フィルター枠を回転させることにより、前記加湿フィルター枠の前記給水部で前記水槽から水を汲み上げ前記加湿フィルターに上部から給水する構成となっていた。
【０００３】
そして、送風装置が、前記吸気口から前記本体ケース内に吸気した空気を、前記加湿フィルターを介して、前記排気口へと送風し、前記加湿フィルターを通風する際に吸気した空気を加湿するものである。（例えば、特許文献１参照）。
【０００４】
以下、その加湿装置について図７を参照しながら説明する。
【０００５】
図６に示すように、加湿構造体１２２を円板形状として加湿フィルターとし、円の中心線を空気の流れる方向と平行にして配置している。給水部は水供給手段のひしゃく１２７であって、円板形状の加湿構造体１２２の円周側面に沿って観覧車の如く複数設けてモータ１２８の力で回転させれば、水槽１２４の水１２５をすくいあげたひしゃく１２７は空気の流れを妨げることなく加湿構造体１２２へ連続的に水を供給し続けられる。
【先行技術文献】
【特許文献】
【０００６】
【特許文献１】特開２００５−２８２９８０号公報
【発明の概要】
【発明が解決しようとする課題】
【０００７】
上記従来例における課題は、加湿量を更に向上することであった。
【０００８】
すなわち、従来の加湿機においては、略環状に給水部である複数のひしゃくを設け、これらのひしゃく内方に、円板状の加湿フィルターを有するものであった。
【０００９】
一般的に、加湿フィルターの面積が大きくなれば、加湿量が向上するものであるが、従来は、給水部が円板状の加湿フィルターの外周に複数のひしゃくを設け、これらのひしゃくとひしゃくとの間には、空間を有するものであった。この空間は、加湿には使われていない部分である。
【００１０】
そこで本発明は、上記従来の課題を解決するものであり、加湿量を更に向上する加湿機を提供することを目的とする。
【課題を解決するための手段】
【００１１】
そして、この目的を達成するために、本発明は、加湿装置を一定量の水が供給される水槽と、この水槽の水に頂部が浸漬する多角形の加湿フィルター部材と、この加湿フィルター部材が装着される回動自在な円形のフィルター枠と、このフィルター枠の周縁部に加湿フィルター部材の辺部に沿って外方に設けた給水部と、前記フィルター枠を回転させる回転装置とで構成したものであり、これにより所期の目的を達成するものである。
【発明の効果】
【００１２】
本発明によれば、加湿装置を一定量の水が供給される水槽と、この水槽の水に頂部が浸漬する多角形の加湿フィルター部材と、この加湿フィルター部材が装着される回動自在な円形のフィルター枠と、このフィルター枠の周縁部に加湿フィルター部材の辺部に沿って外方に設けた給水部と、前記フィルター枠を回転させる回転装置とで構成にしたものであり、加湿量を更に向上することができるものである。
【００１３】
すなわち、加湿フィルター部材の辺部の給水部と給水部との間には、加湿フィルター部材の頂部が位置するので、加湿フィルター部材の面積が増加し、これらの結果により、加湿量を向上することができるのである。
【図面の簡単な説明】
【００１４】
【図１】本発明の実施の形態１の加湿機の概略図
【図２】同加湿機の概略断面を示す図
【図３】同加湿機の加湿装置の概略図
【図４】同加湿機の加湿部材の分解構成図
【図５】同加湿機の加湿装置の同概略断面を示す図
【図６】同加湿機の加湿装置の同概略断面を示す図
【図７】従来の加湿装置を示す概略図
【発明を実施するための形態】
【００１５】
本発明の請求項１記載の加湿機は、加湿装置を一定量の水が供給される水槽と、この水槽の水に頂部が浸漬する多角形の加湿フィルター部材と、この加湿フィルター部材が装着される回動自在な円形のフィルター枠と、このフィルター枠の周縁部に加湿フィルター部材の辺部に沿って外方に設けた給水部と、前記フィルター枠を回転させる回転装置との構成したものである。これにより、加湿フィルター部材の辺部の給水部と給水部との間には、加湿フィルター部材の頂部が位置するので、加湿フィルター部材の面積が増加し、これらの結果により、加湿量を向上することができるという効果を奏する。
【００１６】
また、給水部は、加湿フィルター部材のフィルター辺部に当接する構成としたものである。これにより、多角形の加湿フィルター部材のフィルター辺部をフィルター枠に形成された給水部で支えることができるので、給水部が円形のフィルター枠内に収まるとともに、気化フィルターを変形しにくくして保持できるという効果を奏する。
【００１７】
また、給水部は、円形フィルター枠の外周に沿って形成される外周壁と、この外周壁の一部を外周開口部とした構成としたものである。これにより、給水部が円形のフィルター枠内に収まるとともに、給水部に外周開口部が形成されて確実に水槽水を汲み上げることができるという効果を奏する。
【００１８】
また、給水部は、加湿フィルター部材のフィルター辺部に連通する内周開口部を設けた構成としたものである。これにより、給水部が円形のフィルター枠内に収まるとともに、給水部から内周開口部からフィルター辺部に確実に給水するという効果を奏する。
【００１９】
また、フィルター枠に加湿フィルター部材側に突出するピン状突起部を設けた構成としたものである。これにより、加湿フィルター部材がピン状突起部で保持されて変形しにくくなるという効果を奏する。
【００２０】
また、多角形の加湿フィルター部材を正六角形で形成した構成としたものである。これにより、シート状の原材料から加湿フィルター部材を効率よく切り取ることができるという効果を奏する。
【００２１】
また、多角形の加湿フィルター部材の辺部が最下部に回動した位置を水槽水位面よりも上に配置した構成としたものである。これにより、機器の停止時、加湿フィルター部材の辺部を浸漬しない状態にすることができるので、加湿フィルター部材に雑菌の繁殖や臭いの発生を抑えるという効果を奏する。
【００２２】
また、気化フィルターの通風路に空気清浄装置を設ける構成にし、加湿機としたものである。これにより、加湿と空気清浄が同時に行われるという効果を奏する。
【００２３】
以下、本発明の実施の形態について図面を参照しながら説明する。
【００２４】
（実施の形態１）
図１、図２に示すように、加湿機１は、吸気口２と吹出口３を有する本体ケース４の内部に、送風装置７と、空気清浄装置１０と、加湿装置８とが備えられている。この本体ケース４の内部には、吸気口２から吹出口３に至る通風路９が形成されており、この通風路９に、空気清浄装置１０と加湿装置８とが配置されている。
【００２５】
送風装置７は、スクロール形状のケーシング１３と、このケーシングに固定された送風用モーター５と、この送風用モーター５に軸支された遠心ファン６で構成される。
【００２６】
空気清浄装置１０は、除塵フィルター１１、脱臭フィルター１２で構成する。
【００２７】
加湿装置８は、図３、図４に示すように、水槽２１と、給水タンク２０と、加湿部材２２と、回転装置２３とで構成されている。
【００２８】
水槽２１は、上面が開口した略横長箱形状で、水槽２１の長辺である水槽側壁６１から上方に突出して加湿部材保持部６２を備えている。この加湿部材保持部６２に、加湿部材２２を回転自在に装着できる。水槽２１は、本体ケース４の側面からスライドして本体ケース４の内部に装着可能である。
【００２９】
給水タンク２０は、略縦長箱形状で、水槽２１に装着可能であり、水槽２１に給水タンク２０を装着すると一定量の水を水槽２１に給水する。
【００３０】
回転装置２３は、駆動モーター２５と、駆動歯車２６とで構成され、本体ケース４の内部に装着されている。駆動モーター２５は、回転速度が変更可能で、逆転可能である。駆動歯車２６は、この駆動モーター２５に装着されている。
【００３１】
加湿部材２２は、加湿フィルター部材３３と、フィルター枠カバー３４と、フィルター枠３０とで構成される。加湿フィルター部材３３は、フィルター枠３０に収納される。
【００３２】
加湿フィルター部材３３は、吸水性および通気性のある材料で作成された多角形で、複数の辺部３１と頂部３２とを有する。１例として、本実施形態では、正六角形である。なお、加湿フィルター部材３３の形状は、正六角形でなく、変則六角形でもよく、さらに六角形でなく、五角形や八角形などの多角形にするともできる。
【００３３】
フィルター枠カバー３４は、円形でフィルター枠３０に嵌合して加湿フィルター部材３３を保持する。フィルター枠カバー３４の中心には、突起状のカバー回転軸３５が形成される。このカバー回転軸３５から放射状に伸びた複数の桟３６と、この桟３６を円周方向に補強する複数の補助桟３７とが設けられている。桟３６と補助桟３７との間には、通風路９を構成する開口部３８を備えている。
【００３４】
フィルター枠３０は、円板状で、フィルター枠３０の中心には、ケース回転軸４０が形成されている。このケース回転軸４０の軸心は、カバー回転軸３５の軸心に一致し、フィルター枠カバー３４をフィルター枠３０に装着したときに、突き出す向きが反対になるように形成される。ケース回転軸４０から放射状に伸びた棒形状の複数のケース桟４１と、このケース桟４１の先端を連結する環形状のケース補助桟４２ａと、このケース補助桟４２ａの外周から径方向外側に伸びる複数の平板形状のケース補助桟４２ｂを備えている。これらの桟の間もまた通風路９を構成する開口部４３ａ、開口部４３ｂとなっている。
【００３５】
ケース補助桟４２ｂの先端側、つまり外方に給水部５５を備えている。
【００３６】
給水部５５は、フィルター枠３０の円周方向に長い略長四角形状の箱で、カバー回転軸３５の軸方向に対する垂直断面形状が略半円形状であり、２つの開口を有する。２つの開口は、給水部５５内に水が入る開口である外周開口部５７と、給水部５５内の水が出る開口である内周開口部５８とを有する。
【００３７】
具体的には、給水部５５は、内周壁５１と、外周壁５２と、側壁５３ａと、側壁５３ｂとの４面と、外周開口部５７と、内周開口部５８との２つの開口から構成している。
【００３８】
内周壁５１は、長方形の平板で、この平板の一方側の長辺端部と複数のケース補助桟４２ｂの先端が連結している。この内周壁５１には、四角形状の開口である内周開口部５８を有する。この内周開口部５８は、フィルター枠３０の回転方向における上流側に位置する。フィルター枠３０には、６つの内周壁５１を有し、隣り合う内周壁５１の短辺端部が連結し、六角形の筒である内周筒部４４を形成する。この内周筒部４４内に加湿フィルター部材３３が入る。
【００３９】
外周壁５２は、内周壁５１の外方に位置し、内周壁５１の短辺端部を連結する長方形で外方へ凸形状の曲面板である。この外周壁５２には、四角形状の開口である外周開口部５７を有する。この外周開口部５７は、フィルター枠３０の回転方向における下流側に位置する。フィルター枠３０は、６つの外周壁５２を有し、隣り合う外周壁５２の短辺端部が連結し、円形の筒である外周筒部４５を形成する。
【００４０】
側壁５３ａは、内周壁５１の一方側の端部と、外周壁５２の一方側の端部とを連結する略半円形状の平板である。フィルター枠３０は、６つの側壁５３ａを有する。
【００４１】
側壁５３ｂは、内周壁５１の他方側の端部と、外周壁５２の他方側の端部とを連結する略半円形状の平板である。フィルター枠３０は、６つの側壁５３ｂを有する。
【００４２】
言い換えれば、フィルター枠３０には、加湿フィルター部材３３を収納する厚みがある。フィルター枠３０の周縁部５０は、加湿フィルター部材３３の辺部３１が当接する内周壁５１とフィルター枠３０の外周に設けられた外周壁５２にはさまれる。したがって、内周壁５１と外周壁５２をはさむように側壁５３ａと側壁５３ｂで囲うと、加湿フィルター部材３３の厚みに相当する幅のある空間が形成されるので、ここに給水部５５を設ける。即ち、周縁部５０の空間は、外周壁５２の一部に外周開口部５７を開口することにより、Ｖ字状のひしゃくとなり、給水部５５が形成される。また、内周壁５１の一部にも内周開口部５８を開口する。
【００４３】
加湿フィルター部材３３の形状を正六角形とすれば、フィルター枠３０の外周には６個の給水部５５が形成される。さらに、フィルター枠３０のケース補助桟４２ｂには加湿フィルター部材３３側に向って複数のピン状突起部５９を形成する。
【００４４】
そして、水槽２１の水槽側壁６１から上方に突出して加湿部材保持部６２を形成し、この加湿部材保持部６２で加湿部材２２のカバー回転軸３５とケース回転軸４０とを回動可能に、かつ水槽２１の内部に入り込むように軸支している。
【００４５】
また、加湿部材２２にはケース回転軸４０の軸心が中心となる回転歯車６３が形成されている。水槽２１は本体ケース４の側面からスライドして本体ケース４の内部に装着可能であり、水槽２１を装着することで駆動歯車２６と回転歯車６３がそれぞれ噛み合うようになっている。
【００４６】
図５、６に示すように、水槽２１に給水タンク２０を装着して給水すると、水槽２１には水槽水７１が溜まり、水位面７２が形成され、加湿部材２２の下部は水槽水７１に浸漬される。フィルター枠３０の第１内周壁辺５１ａが最下部に位置しているときに、第１内周壁辺５１ａは水位面７２よりも上になるように設定されている。即ち、加湿フィルター部材３３は水槽水７１に浸漬せず、第１内周壁辺５１ａの下方にある第１給水部５５ａが水槽水７１に浸漬した状態である。
【００４７】
そして、回転装置２３によりフィルター枠３０が回動し、加湿フィルター部材３３の第１頂部３２ａが最下部に位置しているときには、第１頂部３２ａを頂点とし、水位面７２までの部分が、フィルター枠カバー３４の開口部３８により水槽水７１に浸漬し、加湿フィルター浸水域７３が形成される。フィルター枠３０が給水回転方向７４即ち外周開口部５７から水がこぼれない方向に回転すると、回転した先の給水部５５には保持水７５が貯えられる。給水部５５のこの位置を第１給水部位置７６ａとすると、給水回転方向７４に隣接して、第２状態給水部７６ｂ、第３状態給水部７６ｃ、・・第６状態給水部７６ｆが構成される。給水部５５に貯えられた保持水７５は内周開口部５８から排水されるので、フィルター枠３０が第３状態給水部７６ｃまで回動しても、給水部５５には保持水７５ｃが貯えられている。給水部５５の底部７８から外周開口部５７までの給水部外周壁長さ７９と、給水部５５の底部７８から内周開口部５８までの給水部内周壁長さ８０とを調整して、給水部５５の回転にともない、保持水７５が内周開口部５８から均一に排水されるようにする。
【００４８】
上記構成において、フィルター枠３０が給水回転方向７４に回動すると、給水部５５の外周開口部５７が水位面７２に到達し、さらに回転することで給水部５５内に水槽水７１が入り込む。つまり、水槽水７１に浸漬した給水部５５が外周開口部５７から水槽水７１を貯えて回動する。そして、給水部５５に貯えられた保持水７５は加湿フィルター部材３３へと排出され、加湿フィルター部材３３に給水する。さらに、加湿フィルター部材３３の頂部３２の加湿フィルター浸水域７３が水槽水７１に直接浸漬して給水する。つまり、加湿フィルター部材３３は回動により、直接浸漬と給水部５５からの給水を交互に繰り返し周辺部から中心部へと均一に保水し、そして送風装置７により加湿フィルター部材３３に通風されて、通風した空気が加湿されることになる。
【００４９】
加湿フィルター部材３３に多角形し、この加湿フィルター部材３３を収納するフィルター枠３０を円形にして、多角形の加湿フィルター部材３３が当接する内周壁５１と円形のフィルター枠３０の外周壁５２間に給水部５５を形成したので、給水部５５が突出することなく、円形のフィルター枠３０内に収まる。
【００５０】
すなわち、給水部５５が配置されていないところに加湿フィルター部材３３を充填しているので、給水量は給水部５５からの給水に加え加湿フィルター浸水域７３からの給水分が増加することなる。さらに、給水部５５が配置されていないところに加湿フィルター部材３３を充填することは、加湿フィルター部材３３の表面が増えているので、加湿量が増える。よって、給水量の増加と、加湿量の増加がはかれるので、簡単な形状で加湿量が向上する。
【００５１】
また、給水部５５は、加湿フィルター部材３３のフィルターの辺部３１に当接しているので、加湿フィルター部材３３の保持部を給水部５５の内周壁５１が兼ねるので、給水部５５が円形のフィルター枠３０内に収まるとともに、加湿フィルター部材３３が変形しにくく保持できる。
【００５２】
また、給水部５５の外周開口部５７は、円形のフィルター枠３０の外周に沿って形成される外周壁５２に開口しているので、フィルター枠３０内に収まるとともに、確実に水槽水７１を汲み上げることができ、簡単な形状で加湿量が向上する。
【００５３】
また、給水部５５の内周開口部５８は、多角形の加湿フィルター部材３３が当接する内周壁５１に開口しているので、給水部５５が円形のフィルター枠３０内に収まるとともに、給水部５５から内周開口部５８を経てフィルターの辺部３１に確実に給水することができる。
【００５４】
内周開口部５８に加湿フィルター部材３３が当接し、内周開口部５８から排出された保持水７５は直ぐに加湿フィルター部材３３に吸収されていくので、流水音がしにくくなる。さらに、外周開口部５７はフィルター枠３０の外周に開口し、水位面７２に覆いかぶさるように回動して水槽水７１を取り込むが、この際に給水部５５内の空気は内周開口部５８からすみやかに排出されるので、水槽水７１が給水部５５に入り込む際の空気の排出音を無くし、水位面７２の変動を抑えることができる。
【００５５】
また、フィルター枠３０に加湿フィルター部材３３側に突出するピン状突起部５９を設けたので、加湿フィルター部材３３がピン状突起部５９で保持され、変形しにくくなる。なお、実施例ではピン状突起部５９はフィルター枠３０に形成したが、フィルター枠カバー３４に形成しても構わない。
【００５６】
多角形の加湿フィルター部材３３を正六角形で形成すると、正六角形の各辺を合わせるようにして正シート状の原材料を裁断していくことができるので、材料取りに無駄がなく、加湿フィルター部材３３を効率よく切り取り、作成することができる。また、加湿フィルター部材３３を構成する糸のほつれを防止するために裁断部はかがるが、この加工作業が円形フィルターよりも直線作業となるので、作業性が向上する。
【００５７】
また、多角形の加湿フィルター部材３３は辺部３１が最下部にあるときには、水槽水７１に浸漬しないので、機器の停止時に加湿フィルター部材３３が浸漬しない状態にすることができ、加湿フィルター部材３３に雑菌の繁殖や臭いの発生を抑えることができる。
【００５８】
また、加湿フィルター部材３３の通風路に空気清浄装置１０を設ける構成すれば、加湿と空気清浄が同時に行われる。
【産業上の利用可能性】
【００５９】
本発明にかかる加湿機は、水槽と、この水槽の水に頂部が浸漬する多角形の加湿フィルター部材と、この加湿フィルター部材が装着される回動自在な円形のフィルター枠と、このフィルター枠の周縁部に加湿フィルター部材の辺部に沿って外方に設けた給水部と、前記フィルター枠を回転させる回転装置とで構成にしたことにより、給水部が円形のフィルター枠内に収まり、簡単な形状で加湿量の向上を可能とするものであるので、家庭や事務所などに使用される空気を加湿する加湿機として有用である。
【符号の説明】
【００６０】
１    加湿機
２    吸気口
３    吹出口
４    本体ケース
５    送風用モーター
６    遠心ファン
７    送風装置
８    加湿装置
９    通風路
１０    空気清浄装置
１１    除塵フィルター
１２    脱臭フィルター
１３    ケーシング
２０    給水タンク
２１    水槽
２２    加湿部材
２３    回転装置
２５    駆動モーター
２６    駆動歯車
３０    フィルター枠
３１    辺部
３２    頂部
３２ａ  第１頂部
３３    加湿フィルター部材
３４    フィルター枠カバー
３５    カバー回転軸
３６    桟
３７    補助桟
３８    開口部
４０    ケース回転軸
４１    ケース桟
４２ａ  ケース補助桟
４２ｂ  ケース補助桟
４３ａ  開口部
４３ｂ  開口部
４４    内周筒部
４５    外周筒部
５１    内周壁
５２    外周壁
５３ａ  側壁
５３ｂ  側壁
５５    給水部
５５ａ  第１給水部
５７    外周開口部
５８    内周開口部
５９    ピン状突起部
６１    水槽側壁
６２    加湿部材保持部
６３    回転歯車
７１    水槽水
７２    水位面
７３    加湿フィルター浸水域
７４    給水回転方向
７５    保持水
７５ｃ  保持水
７６ａ  第１給水部位置
７６ｂ  第２状態給水部
７６ｃ  第３状態給水部
７６ｆ  第６状態給水部
７８    底部
７９    給水部外周壁長さ
８０    給水部内周壁長さ
【図１】
2014066477.tif 000003
【図２】
2014066477.tif 000004
【図３】
2014066477.tif 000005
【図４】
2014066477.tif 000006
【図５】
2014066477.tif 000007
【図６】
2014066477.tif 000008
【図７】
2014066477.tif 000009